(57)【要約】      （修正有）【課題】転写方式の印刷に用いられる転写シートにおいて、転写後、破棄されるまでのセキュリティを高めた転写シートを提供する。【解決手段】転写シート１は、基材１０と、基材の一方の面側に設けられ、基材１０から対象物に転写可能な転写物を含む転写層１１とを備え、基材１０と転写層１１とは、同色である。基材１０は、第１基材層と、転写層１１と同色の第２基材層とを有するのが好ましく、第１基材層は、転写層１１側に設けられ、第２基材層は、第１基材の、転写層１１と反対側に設けられることが好ましい。【選択図】図１
2019171834.tif 000002
【特許請求の範囲】
【請求項１】
基材と、
前記基材の一方の面側に設けられ、前記基材から対象物に転写可能な転写物を含む転写層とを備え、
前記基材と前記転写層とは、同色であることを特徴とする転写シート。
【請求項２】
前記基材は、樹脂材料と、着色剤とを含むものである請求項１に記載の転写シート。
【請求項３】
前記着色剤は、カーボンブラックを含む請求項２に記載の転写シート。
【請求項４】
前記樹脂材料は、ポリエステルである請求項２または３に記載の転写シート。
【請求項５】
前記基材は、第１基材層と、前記転写層と同色の第２基材層とを有する請求項１ないし４のいずれか１項に記載の転写シート。
【請求項６】
前記第１基材層は、前記転写層側に設けられ、
前記第２基材層は、前記第１基材の、前記転写層と反対側に設けられている請求項１ないし５のいずれか１項に記載の転写シート。
【請求項７】
前記転写物は、熱転写性インクである請求項１ないし６のいずれか１項に記載の転写シート。
【発明の詳細な説明】
【技術分野】
【０００１】
本発明は、転写シートに関する。
【背景技術】
【０００２】
従来、金券類、カード類、および各種証明書類等は、資格証明や一定の経済的価値や効果を持つため、所有者の個人情報が表示されるが、該個人情報の漏洩を防止し、かつ、使用時における外力に対する耐久性が必要である。
【０００３】
個人情報の表示方法として、転写シート、例えば熱転写シートを用いた感熱転写法（熱転写法）による印字（表示）が広く使用されるようになっている。熱転写シートは、サーマルリボンとも呼ばれ、熱転写方式のプリンタの所謂インクリボンとして用いられている（例えば、特許文献１）。
【０００４】
特許文献１の熱転写シートは、例えば、基材シートの一方の面に転写層（熱転写性インク層）が、少なくとも設けられてなるものである。このような構成の熱転写シートをインクリボンとして使用し、プリンタのサーマルヘッドから加えられる熱によって熱転写性インク層の一部を溶融（溶融転写方式）させるか、あるいは熱転写性インク層中の一部の昇華性染料を昇華（昇華転写方式）させることにより、被転写体側に熱転写記録を行うことができる。
【０００５】
これらの熱転写方法では、プリンタが小型であること、印字の耐久性が高いこと等により、身分証明書等のＩＤカードカード類や宅配ラベル等の様々な印字対象における記録方式として広く利用されるようになっている。
【０００６】
しかしながら、インクリボンを用いた熱転写方式の場合には、印字後に、印字した（転写した）部分の転写層が抜け落ちているため、残存した転写層によって、ネガ情報が形成されている。したがって、印字後のインクリボンをそのまま廃棄すると、個人情報が漏洩する危険性があった。このため、インクリボンについては、廃棄物についても個人情報を含む秘密情報としての取り扱いが求められ、一般の廃棄物とは異なり、保管場所の確保や廃棄時のシュレッダー処理や焼却処理といった特別な処理が求められていた。
【先行技術文献】
【特許文献】
【０００７】
【特許文献１】特開平１０−５８７２８号公報
【発明の概要】
【発明が解決しようとする課題】
【０００８】
本発明の目的は、転写方式の印刷に用いられる転写シートにおいて、転写後、破棄されるまでのセキュリティを高めた転写シートを提供することにある。
【課題を解決するための手段】
【０００９】
このような目的は、下記（１）〜（７）に記載の本発明により達成される。
（１）  基材と、
前記基材の一方の面側に設けられ、前記基材から対象物に転写可能な転写物を含む転写層とを備え、
前記基材と前記転写層とは、同色であることを特徴とする転写シート。
【００１０】
（２）  前記基材は、樹脂材料と、着色剤とを含むものである上記（１）に記載の転写シート。
（３）  前記着色剤は、カーボンブラックを含む上記（２）に記載の転写シート。
【００１１】
（４）  前記樹脂材料は、ポリエステルである上記（２）または（３）に記載の転写シート。
【００１２】
（５）  前記基材は、第１基材層と、前記転写層と同色の第２基材層とを有する上記（１）ないし（４）のいずれかに記載の転写シート。
【００１３】
（６）  前記第１基材層は、前記転写層側に設けられ、
前記第２基材層は、前記第１基材の、前記転写層と反対側に設けられている上記（１）ないし（５）のいずれかに記載の転写シート。
【００１４】
（７）  前記転写物は、熱転写性インクである上記（１）ないし（６）のいずれかに記載の転写シート。
【発明の効果】
【００１５】
本発明によれば、転写方式に用いられる転写シートにおいて、情報出力後の転写シート上に残された情報を、簡便な構成で判読を困難とすることにより、転写後、破棄されるまでのセキュリティを高めた転写シートを提供することができる。
【図面の簡単な説明】
【００１６】
【図１】本発明の転写シートの好適な実施形態（第１実施形態）を示す模式的な縦断面図である。
【図２】本発明の転写シートの好適な実施形態（第１実施形態）を示す模式的な縦断面図である。
【図３】本発明の転写シートの好適な実施形態（第２実施形態）を示す模式的な縦断面図である。
【図４】転写シートにネガ情報が残存している様子を示す斜視図である。
【発明を実施するための形態】
【００１７】
以下、本発明の好適な実施形態について詳細に説明する。
＜＜第１実施形態＞＞
［転写シート］
まず、本発明の転写シートについて説明する。
図１は、本発明の転写シートの好適な実施形態を示す模式的な縦断面図である。
【００１８】
本実施形態の転写シート１Ａ（１）は、基材１０と、基材１０の一方の面側に設けられ、基材１０から対象物に転写可能な転写物を含む転写層１１とを備える。そして、本実施形態の転写シート１は、基材１０と転写層１１とは、同色であることを特徴とする。
【００１９】
上述したように、転写方式により印字された直後の転写シートにおいては、印字した（転写した）部分の転写層が抜け落ちているため、残存した転写層によって、ネガ情報が形成されている（図４参照）。従って、そのまま転写シート１を廃棄した場合、悪意ある第三者によって個人情報を読取られ、複製を作る等の悪意ある行為に使われる可能がある。
【００２０】
そこで、本実施形態の転写シート１Ａ（１）では、基材１０と転写層１１とを同色とすることで、簡便な構成で、使用後の転写シート上に残された情報の判読を困難にするものである。これにより個人情報等の秘密情報の漏洩を防ぎ、セキュリティを高めることができる。また、従来必要であった保管場所の確保や、廃棄時のシュレッダー処理や焼却処理といった特別な処理も不要となる。
【００２１】
ここで、本明細書において「同色」とは、人が視認して色彩の違いが判別不可能であれば、同色とする。具体的には、ＪＩＳ  Ｋ５６００−４−６：１９９９に規定された色差ΔＥ＊ａｂの値が、３以下のものが好ましく、１以下がさらに好ましい。
【００２２】
＜基材＞
基材１０は、転写層１１を支持する支持体となる。
基材１０は、樹脂材料と、着色剤とを含む。
【００２３】
（樹脂材料）
樹脂材料としては、従来から一般的に転写シートの基材の材料として使用されている樹脂材料を適用することができる。具体的には、ポリエチレンテレフタレート等のポリエステル、ポリプロピレン、ポリスチレン、ポリイミド、アラミド、ポリアミド等を挙げることができる。
【００２４】
樹脂材料は、ポリエステルであることが好ましい。中でも、耐熱性と入手コストの観点からポリエチレンテレフタレートを好ましく使用することができる。
【００２５】
（着色剤）
基材１０は、着色剤として、有機系着色剤または無機系着色剤を含有しており、基材１０を着色しようとする色に合わせて適宜選択することができる。
【００２６】
無機系着色剤である無機系顔料としては、例えば、カーボンブラック、コバルト系色素、鉄系色素、クロム系色素、チタン系色素、バナジウム系色素、ジルコニウム系色素、モリブデン系色素、ルテニウム系色素、白金系色素等が挙げられる。これらの無機系着色剤は、１種を単独で、または２種以上を組み合わせて用いることができる。
【００２７】
有機系着色剤である有機系顔料および有機系染料としては、例えば、アミニウム系色素、シアニン系色素、メロシアニン系色素、クロコニウム系色素、スクアリウム系色素、アズレニウム系色素、ポリメチン系色素、ナフトキノン系色素、ピリリウム系色素、フタロシアニン系色素、ナフタロシアニン系色素、ナフトラクタム系色素、アゾ系色素、縮合アゾ系色素、インジゴ系色素、ペリノン系色素、ペリレン系色素、ジオキサジン系色素、キナクリドン系色素、イソインドリノン系色素、キノフタロン系色素、ピロール系色素、チオインジゴ系色素、金属錯体系色素（金属錯塩染料）、ジチオール金属錯体系色素、インドールフェノール系色素、トリアリルメタン系色素、アントラキノン系色素、ジオキサジン系色素、ナフトール系色素、アゾメチン系色素、ベンズイミダゾロン系色素、ピランスロン系色素およびスレン系色等が挙げられる。これらの有機系着色剤は、１種を単独で、または２種以上を組み合わせて用いることができる。
【００２８】
着色剤は、黒色顔料を含むことが好ましい。転写層が黒色（ブラック）である場合、基材１０を黒色に着色することで、転写により抜けた部分を、より認識しづらくすることができる。
【００２９】
黒色顔料の種類は、基材１０に黒色の外観を付与できる限り特に限定されないが、価格および環境負荷の低さの観点から、着色剤は、カーボンブラックを使用することが好ましい。
【００３０】
カーボンブラックは、粒径により樹脂材料中での分散性が異なる。粒径が小さい方が分散性は高くなるため、隠蔽性（黒色度）の改善には好ましい。しかし、一方でカーボンブラックの粒径が小さすぎると、粒子が凝集し、径の大きな凝集体を形成しやすくなる。以上のことから、黒色顔料の平均粒径は、１０ｎｍ以上１００ｎｍ以下であることが好ましく、特に１０ｎｍ以上３０ｎｍ以下であることが好ましい。
【００３１】
ここで、本明細書における「平均粒径」は、レーザー回折式粒度分布測定装置によって測定して得られる値であるものとする。
【００３２】
本実施形態において、基材１０を構成する樹脂材料中における着色剤の含有量は、１質量％以上３０質量％以下であることが好ましく、５質量％以上２０質量％以下であることがより好ましい。着色剤の含有量が１質量％以上であることで、基材１０に良好な外観および隠蔽性を付与することができる。
【００３３】
基材１０の厚みは、機械的強度、耐熱性、熱伝導性、熱膨張係数、取り扱いの容易さ、あるいは入手の容易性に加え、転写シート１Ａ（１）の用途等により異なるが、２μｍ以上１２μｍ以下であることが好ましく、２μｍ以上６μｍ以下であることがより好ましい。
【００３４】
＜転写層＞
転写層１１の転写方式としては、感圧転写方式、感熱転写方式（熱転写方式）が挙げられる。
【００３５】
転写物は、熱転写性インクであり、転写層１１は熱転写性インク層であることが好ましい。
【００３６】
以下、転写層１１として熱転写性インク層について説明する。
((熱転写性インク層))
熱転写性インク層は染料または顔料を任意のバインダ樹脂で担持させた層である。使用する染料または顔料は、従来公知の熱転写シートに使用されている染料または顔料がいずれも使用可能であり特に限定されない。
【００３７】
熱転写性インク層としては、サーマルヘッドの熱により昇華する特性を有するインクを用いた昇華性転写層、および、サーマルヘッドの熱により溶融するインクを用いた熱溶融転写層が挙げられるが特に限定されない。
【００３８】
（染料または顔料）
昇華性転写層形成用インクに用いられる熱昇華性染料としては、昇華性分散染料が好ましく、一例を挙げると、イエロー成分としては、ソルベントイエロー５６、１６、３０、９３、３３、ディスパースイエロー２０１、２３１、３３等が挙げられる。マゼンタ成分としては、Ｃ．Ｉ．ディスパースレッド６０、ディスパースバイオレット２６、Ｃ．Ｉ．ソルベントレッド２７、あるいはＣ．Ｉ．ソルベントレッド１９が挙げられる。シアン成分としてはＣ．Ｉ．ディスパースブルー３５４、２４、Ｃ．Ｉ．ソルベントブルー６３、３６等が挙げられる。
【００３９】
熱溶融転写層形成用インクに用いられる染料としては、ジアリールメタン系、トリアリールメタン系、チアゾール系、メチン系、アゾメタン系、キサンテン系、アキサジン系、チアジン系、アジン系、アクリジン系、アゾ系、スピロジピラン系、イソドリノスピロピラン系、フルオロラン系、ローダミンダクタム系、アントラキノン系等の一般に使用されている熱転写性染料を広く使用することができる。
【００４０】
熱溶融転写層形成用インクに用いられる顔料としては、公知の有機顔料、無機顔料を使用することができ、一例を挙げると、カーボンブラック、アゾ系、フタロシアニン系、キクナリドン系、チオインジゴ系、アンスラキノン系、イソインドリン系等の顔料が挙げられる。
【００４１】
（バインダ樹脂）
バインダ樹脂としては、従来公知のものが使用でき、ポリビニルアルコール、ポリ酢酸ビニル、ポリビニルピロリドン、ポリビニルアセタール、ポリビニルブチラール等のビニル系樹脂、エチルセルロース、メチルセルロース、ヒドロキシエチルセルロース、ヒドロキシプロピルセルロース、酢酸セルロース、酢酪酸セルロース、酢酸プロピオン酸セルロース等のセルロース系樹脂、ポリエステル樹脂、フェノキシ樹脂、スチレン−アクリルニトリル共重合体樹脂、ポリカーボネート樹脂、ポリアクリルアミド樹脂等の耐熱性、染料移行性等に優れた樹脂を具体例として挙げることができる。
【００４２】
バインダ樹脂のガラス転位点は、好ましくは６０℃以上、より好ましくは１１０℃以上であればよい。ガラス転位点が低い場合、印字不良を起こす可能性が高くなる。
【００４３】
また、染料または顔料とバインダ樹脂との重量比はバインダ樹脂１００質量部に対し３０質量部以上３００質量部以下程度が好ましく、５０質量部以上２００質量部以下であればより好ましい。３０より小さい場合、染料または顔料の濃度が低くなるため、印字濃度が不十分となり良好な熱転写印字が得られ難くなる。一方、３００質量部より大きい場合、転写層が脆くなる。
【００４４】
また、転写層１１には、前記顔料または染料、およびバインダ樹脂の他に、適宜、離型剤、軟化剤、界面活性剤といった添加剤を添加することができる。
【００４５】
このような転写シート１Ａ（１）では、基材１０と転写層１１とが同色となされているので、簡便な構成で、使用後の転写層１１上に残された情報の判読を困難にすることができる。これにより個人情報等の秘密情報の漏洩を防ぎ、セキュリティを高めることができる。また、従来必要であった保管場所の確保や、廃棄時のシュレッダー処理や焼却処理といった特別な処理も不要となる。
【００４６】
図２に示すように、本実施形態の転写シート１Ａ（１）において、基材１０と転写層１１との間に、保護層１４が形成されていてもよい。保護層１４は、転写層１１とともに転写シート１から転写されて、転写層１１により被転写体上に形成された印字を擦過等から保護する。
【００４７】
また、本実施形態の転写シート１Ａ（１）において、基材１０と転写層１１との間（保護層１４が形成されている場合には、基材１０と保護層１４との間）に、離型層１５が形成されていてもよい。離型層１５は、転写シート１Ａ（１）における転写層１１および保護層１４の基材１０からの転写時（熱転写時）の剥離性を高める。
【００４８】
また、基材１０の転写層１１が形成された側とは反対側の面に、バックコート層１６が形成されていてもよい。バックコート層１６は、転写シート１Ａ（１）の耐熱性、および印字時（熱転写時）におけるサーマルヘッドの走行性等を向上させる。
【００４９】
これらの保護層１４、離型層１５およびバックコート層１６はいずれも、従来の転写シート（熱転写シート）において通常用いられている公知の離型層、保護層およびバックコート層とすることができる。
【００５０】
＜＜第２実施形態＞＞
つぎに、本発明の転写シートの第２の実施形態について説明する。
【００５１】
図３は、本発明の転写シート１の好適な実施形態（第２の実施形態）を示す模式的な縦断面図である。
【００５２】
なお、以下の説明では、上述した第１の実施形態と異なる部分について主に説明し、第１の実施形態と共通する部分については、その説明を省略する。
【００５３】
本実施形態の転写シート１Ｂ（１）は、基材１０と、基材１０の一方の面側に設けられ、基材１０から対象物に転写可能な転写物を含む転写層１１とを備える。そして、本実施形態の転写シート１は、基材１０と転写層１１とは、同色である。
【００５４】
特に本実施形態の転写シート１では、基材１０は、第１基材層１２と、転写層１１と同色の第２基材層１３とを有する。
【００５５】
そして、第１基材層１２は、転写層１１側に設けられ、第２基材層１３は、第１基材層１２の、転写層１１と反対側に設けられている。
【００５６】
本実施形態の転写シート１Ｂ（１）では、基材１０を、第１基材層１２と第２基材層と１３の２層構成とし、転写層１１と同色の第２基材層１３を転写層１１と離れた側に配することで、転写層１１と、転写層１１と同色の第２基材層１３との間に第１基材層１２が配されることになる。すなわち、転写層１１と第２基材層１３とが離れて配されることによる厚み効果により、使用後の転写シート１Ｂ（１）上に残された情報の判読をより困難にし、セキュリティをさらに高めることができる。
【００５７】
第１基材層１２は、樹脂材料を含むものであり、第２基材層１３は、樹脂材料と、着色剤とを含むものである。
【００５８】
第１基材層１２および第２基材層１３を構成する樹脂材料としては、上述した第１実施形態における基材１０を構成する樹脂材料と同様のものを用いることができる。また、第２基材層１３が含有する着色剤としても、上述した第１実施形態における基材１０に含有される樹脂材料と同様のものを用いることができる。
【００５９】
基材１０を構成する第１基材層１２の厚みとしては、上述した厚み効果による観点から、１μｍ以上６μｍ以下であることが好ましく、１μｍ以上３μｍ以下であることがより好ましい。また、第２基材層１３の厚みとしては、使用後における転写層の隠蔽効果の観点から、１μｍ以上６μｍ以下であることが好ましく、１μｍ以上３μｍ以下であることがより好ましい。
【００６０】
また、転写層１１としても、上述した第１実施形態における転写層１１を構成する材料と同様のものを用いることができる。
【００６１】
以上、本発明の実施の形態について説明してきたが、本発明はこれに限定されるものではなく、発明の趣旨を逸脱しない範囲で適宜変更可能である。
【符号の説明】
【００６２】
１        転写シート
１０      基材
１１      転写層
１２      第１の基材層
１３      第２の基材層
１４      保護層
１５      離型層
１６      バックコート層
【図１】
2019171834.tif 000003
【図２】
2019171834.tif 000004
【図３】
2019171834.tif 000005
【図４】
2019171834.tif 000006